(57)【要約】【課題】  入居者の入れ替え時に水栓を清潔且つ傷のないものとするため、ハンドル等の交換や分解を工具なしで行え、誰でも簡易に脱着できる水栓部材の脱着構造を提供する。【解決手段】  ハンドルと結合して水量を調整可能な弁軸と、蛇口が取付可能な吐水口とを備えた水栓において、弁軸には環状溝を設ける一方、ハンドルには弁軸を回転可能に軸挿する取付孔を設けると共に、弁軸と取付孔との軸挿時、環状溝に弾性的に係止する爪部を設ける。また、同様の水栓において、ハンドルは径方向に半割り可能に構成することもある。さらに、弁軸と吐水口とが水栓本体の同一面上から同じ向きに設けられた水栓においては、弁軸および吐水口を露出可能に水栓本体を覆うカバーを備える。さらにまた、上述した脱着式のハンドルとカバーの双方を同時に採用する。【選択図】        図２
2005325635.tif 000002
【特許請求の範囲】
【請求項１】
ハンドルと結合して水量を調整可能な弁軸と、蛇口が取付可能な吐水口とを備えた水栓において、前記弁軸には環状溝を設ける一方、前記ハンドルには前記弁軸を回転可能に軸挿する取付孔を設けると共に、弁軸と取付孔との軸挿時、前記環状溝に弾性的に係止する爪部を設けたことを特徴とする水栓部材の脱着構造。
【請求項２】
ハンドルと結合して水量を調整可能な弁軸と、蛇口が取付可能な吐水口とを備えた水栓において、前記弁軸には環状溝を設ける一方、前記ハンドルには前記弁軸を回転可能に軸挿する取付孔を設けると共に、弁軸と取付孔との軸挿時、前記環状溝に係止する爪部を設け、さらに当該ハンドルを径方向に半割り可能に構成したことを特徴とする水栓部材の脱着構造。
【請求項３】
請求項１記載の水栓部材の脱着構造において、ハンドルの爪部は、中央に弁軸の挿通孔を形成した菊割状に形成したことを特徴とする水栓部材の脱着構造。
【請求項４】
ハンドルの取付孔と弁軸には、互いに合致するローレット目を形成した請求項１、２または３記載の水栓部材の脱着構造。
【請求項５】
ハンドルと結合して水量を調整可能な弁軸と、蛇口が取付可能な吐水口とが、水栓本体の同一面上から同じ向きに設けられた水栓において、前記弁軸および吐水口を露出可能に水栓本体を覆うカバーを備えたことを特徴とする水栓部材の脱着構造。
【請求項６】
請求項１、２、３または４記載の構成と請求項５記載の構成を兼ね備えたことを特徴とする水栓部材の脱着構造。
【発明の詳細な説明】
【技術分野】
【０００１】
この発明は、水栓本体からハンドル等の水栓部材を分解して清掃したり、前記水栓部材の交換に係るリフォームに好適な水栓部材の脱着構造に関するものである。
【背景技術】
【０００２】
洗面所や台所に設置される水栓は、その使用においてハンドルや水栓本体に汚れが付着し、時には破損するが、賃貸住宅などにおいて入居者の入れ替え時に、汚れ等が生じた水栓をそのまま使用すれば、新入居者に対する印象が悪く、入居率にも影響する。そこで、汚れ等が著しい場合は、水栓を新品に交換することが考えられる。
【０００３】
なお、ワンルームマンションに代表される賃貸住宅やウィークリーマンションなどでは、特許文献１に示すような、いわゆる２ハンドル湯水混合水栓が多く使用される。
【０００４】
【特許文献１】特開２００４−６８５１４号公報
【発明の開示】
【発明が解決しようとする課題】
【０００５】
上記特許文献１に開示の技術に代表される水栓によれば、ハンドルや吐水部（蛇口部）はネジや袋ナットにより水栓本体に一体的に固定されているから、仮に、水栓本体のみに汚れ等が生じた場合であっても、ハンドルや吐水部を含め、事実上、水栓全部を新しい物に取り替えなければならない。しかし、その取替作業には配管に関する知識や専用の工具が必要となることから、通常、家主や入居者が行うことはできず、自ずと専門業者による取替工事が行われることになる。このため、工事費用が発生したり、工事期間は入居が不可能になるなど、家主にとっての不都合が大きい。こうした問題は、ワンルーム系の賃貸住宅など、その住宅の性質上、入居者の入れ替えが多い場合に、特に顕著である。
【０００６】
また、汚れが著しいハンドルを交換したり分解して清掃するにしても、上述のように、その取り外しには工具が必要となるから、非常に手間であり、結局、完全な衛生性を実現するのは困難な実情にある。
【０００７】
本発明は、上述した課題に鑑みなされたもので、その目的とするところは、ハンドル等の交換や分解を工具なしで行え、誰でも簡易に脱着できる水栓部材の脱着構造を提供することである。
【課題を解決するための手段】
【０００８】
上述した目的を達成するために本発明では、ハンドルと結合して水量を調整可能な弁軸と、蛇口が取付可能な吐水口とが、水栓本体の同一面上から同じ向きに設けられた水栓において、前記弁軸には環状溝を設ける一方、前記ハンドルには前記弁軸と回転可能に軸挿する取付孔を設けると共に、弁軸と取付孔との軸挿時、前記環状溝に弾性的に係止する爪部を設けるという手段を用いた。この手段によれば、弁軸と取付孔の軸挿によりハンドルと弁軸が連動して回転可能に結合される。また、ハンドルの爪部は弁軸の環状溝と係止して、ハンドルの不用意な抜けを防止する。ただし、爪部は環状溝に弾性的に係止しているため、一定以上の力でハンドルを引っ張ることにより、前記係止が解除され、ハンドルを弁軸、ひいては水栓本体から分離することができる。つまり、この手段は、工具なしで、ハンドルの脱着構造を実現するものである。
【０００９】
ハンドルの爪部は、中央に弁軸の挿通孔を形成した菊割状に形成することができる。
【００１０】
また、ハンドルの別の脱着手段として、ハンドルと結合して水量を調整可能な弁軸と、蛇口が取付可能な吐水口とが、水栓本体の同一面上から同じ向きに設けられた水栓において、前記弁軸には環状溝を設ける一方、前記ハンドルには前記弁軸と回転可能に軸挿する取付孔を設けると共に、弁軸と取付孔との軸挿時、前記環状溝に係止する爪部を設け、さらに当該ハンドルを径方向に半割り可能に構成するという手段を用いた。この手段によれば、取付孔と弁軸の軸挿によりハンドルを弁軸に回転可能に結合できると共に、爪部が環状溝に係止することによりハンドルの不用意な抜けが防止される。そして、ハンドルを半割りすることによって、工具を必要とせず、ハンドルを弁軸から分離することができる。
【００１１】
なお、ハンドルの取付孔と弁軸との軸挿構造は、ハンドルの回転操作を弁軸に伝達しうるものであれば、ローレット目や断面正多角形などの構造を採用することができる。
【００１２】
一方、本発明では、別の水栓部材の脱着構造として、ハンドルと結合して水量を調整可能な弁軸と、蛇口が取付可能な吐水口とが、水栓本体の同一面上から同じ向きに設けられた水栓において、前記弁軸および吐水口を露出可能に水栓本体を覆うカバーを備えるという手段を用いた。この手段によれば、水栓本体はカバーによって被覆されるため、水栓本体が直接汚れ、または破損することを防止できると共に、カバーに汚れ等が生じた場合は、水栓本体を取り外すことなく、カバーのみを分解清掃または交換することができる。また、その水栓が給湯水栓や湯水混合栓である場合には、水栓本体を被覆するカバーによって、やけどを防止するという副次的な作用がある。
【００１３】
なお、上述したハンドルの脱着手段とカバーの脱着手段を併用することも可能である。
【発明の効果】
【００１４】
本発明によれば、工具なしでハンドルを脱着できるため、誰にでもハンドルを交換ができ、作業コストも最小限でリフォーム可能となる。また、普段の清掃も簡単に分解して行うことができる。また、水栓本体をカバーで覆うようにしたので、水栓本体を取り外すことなく、カバーを交換するのみで、簡単に新品時の印象を再現することができる。また、カバーはハンドルを取り外すことによって、これまた工具なしで、誰しもが簡単に水栓本体から分離することができ、交換作業のみならず、分解清掃も簡易且つ丹念に行うことができる。よって、本発明は、入居者の入れ替え時に水栓を新品同様にしたい要請が強い賃貸住宅などに採用することに最適なものである。
【発明を実施するための最良の形態】
【００１５】
以下、本発明の好ましい実施の形態を添付した図面に従って説明する。図１は本発明を適用した水栓の組み立て完了図、図２はその分解図である。同図中、１は２ハンドル式湯水混合型の水栓本体であって、図示しない水用配管および湯用配管と接続される導水接続部２・３を備え、左右に導水接続部２・３と接続される弁４（湯側は省略）を内蔵すると共に、湯水混合室５を介して中央に吐水口５ａを設けてなる。弁４の弁軸６および吐水口５ａは水栓本体１の同一面上から同じ向きに設けられている。７は吐水口５ａに袋ナット８によって接続された蛇口であり、ここまでの構成は従来の２ハンドル式湯水混合栓と何ら変わるところはない。
【００１６】
続いて、９は吐水口５ａおよび弁軸６を露出可能に水栓本体１を被覆するカバー、１０・１１は弁軸６と回転可能に結合されるハンドルであって、カバー９およびハンドル１０・１１は水栓部材として脱着可能な構造からなる。つまり、カバー９はハンドル１０・１１を弁軸６から取り外すことによって、水栓本体１から分離することができる。
【００１７】
そこで、ハンドル１０・１１の脱着構造を図３に従って説明する。なお、水側ハンドルも湯側ハンドルも同じ脱着構造を採用するため、ここでは一方のハンドル１０について、その脱着構造を説明することとする。まず弁軸６にはローレット目６ａが形成されると共に、その下方に環状溝６ｂが形成されている。一方、ハンドル１０には前記ローレット目６ａと合致する雌型のローレット目が形成された取付孔１０ａを有すると共に、取付孔１０ａに対する弁軸６の軸挿時に、環状溝６ｂに弾性的に係止する爪部１０ｂを有する。当該爪部１０ｂは、中央に弁軸６の挿通孔１０ｃが形成された菊割状に構成されている。而して、ハンドル１０を弁軸６に差し込むことによって、弁軸６と取付孔１０ａのローレット目が合致し、両者１０・６を連動して回転可能に結合できると共に、爪部１０ｂが環状溝６ｂに係止することによって不用意な抜けが防止される。これに対して、ハンドル１０を一定以上の力で引っ張り上げれば、爪部１０ｂが環状溝６ｂから抜け出し、その係止が解除され、ハンドル１０を弁軸６から取り外すことができる。つまり、この構成によれば、工具を使うことなく、誰しもがハンドル１０の脱着作業を行うことができる。
【００１８】
図４は、ハンドルの別の脱着構造に係る実施形態を示したものである。ここでは、弁軸１２の頭部を断面正六角形とすると共に、ハンドル１３の取付孔１４をこれと合致する形状として、ハンドル１３を弁軸１２と連動して回転可能な結合構造としている。また、弁軸１２の頭部の下方には環状溝１５が形成され、ハンドル１３には前記環状溝１５と係止する爪部１６が形成され、当該係止構造によりハンドル１３の不用意な抜けが防止される。そして、このハンドル１３は左右に半割り可能に構成され、数カ所に設けたアンダーカット状の係合突部１７を、対する係合孔１８に係合することによって、ハンドル１３を弁軸１２に取付けられ、反対に結合突部１７を係合孔１８から離脱するようにハンドル１３を半割り分解すれば、ハンドル１３を工具なしで弁軸１２から取り外すことができる。このハンドル１３は、二つの独立した部材から構成することもできるが、図５に示すように、半割りした部材をヒンジ１９を介して観音開き状に開閉可能に構成することも可能である。このように半割りした二つの部材をヒンジ１９を介して連結することにより、ハンドル１３の取り扱いや保管に便利である。
【００１９】
なお、上記実施形態では２ハンドル式湯水混合栓に対する本発明の適用例を示したが、吐水口と弁軸が同一面上から同じ向きに設けられたものであれば、水専用または湯専用の水栓にも適用することができることはもちろんである。また、上記実施形態は洗面台等に水平に設置される水栓を例示したものであるが、壁面に設ける水栓にも適用することができる。さらに、ハンドルとカバーの脱着構造を併用する必要もなく、何れか一方のみを採用することも可能である。
【図面の簡単な説明】
【００２０】
【図１】本発明を適用した水栓全体の組み立て正面図
【図２】前記水栓の分解正面図
【図３】ハンドルの脱着構造の詳細図
【図４】別のハンドルの脱着構造に係る詳細図
【図５】前記別のハンドルのさらに別実施例を示した平面図
【符号の説明】
【００２１】
１  水栓本体
２・３  導水接続部
４  弁
５  湯水混合室
５ａ  吐水口
６  弁軸
６ａ  ローレット目
６ｂ  環状溝
７  蛇口
８  袋ナット
９  カバー
１０・１１  ハンドル
１０ａ  取付孔
１０ｂ  爪部
１０ｃ  挿通孔
【図１】
2005325635.tif 000003
【図２】
2005325635.tif 000004
【図３】
2005325635.tif 000005
【図４】
2005325635.tif 000006
【図５】
2005325635.tif 000007